(57)【要約】【課題】左右の回転を任意に選択できるコマ玩具発射装置。【解決手段】以下の要件を備えたことを特徴とするコマ玩具発射装置１。（イ）装置本体１ａの内部には回転体３と回転体３に作動連結するピニオンギア４とを設け、回転体３の下部には装置本体１ａの下方に突出する取付部材５を形成したこと（ロ）上記装置本体１ａには、ラックベルト６を挿脱する２つの挿通路９が上記ピニオンギア４を挟んでその両側に平行に形成されていること（ハ）上記ラックベルト６は上記挿通路９に挿入したときに上記ピニオンギア４に噛合するように形成されていること（ニ）コマ玩具２は上記回転体３の回転が停止したときに上記取付部材５から離脱するように構成されていること【選択図】　　　　図３
0003098449.tif 000002
【実用新案登録請求の範囲】
【請求項１】
以下の要件を備えたことを特徴とするコマ玩具発射装置。
（イ）装置本体の内部には回転体と回転体に作動連結するピニオンギアとを設け、回転体の下部には装置本体の下方に突出するコマ玩具用取付部材を形成したこと
（ロ）上記装置本体には、ラックベルトを挿脱する２つの挿通路が上記ピニオンギアを挟んでその両側に平行に形成されていること
（ハ）上記ラックベルトは上記挿通路に挿入したときに上記ピニオンギアに噛合するように形成されていること
（ニ）コマ玩具は上記回転体の回転が停止したときに上記取付部材から離脱するように構成されていること
【請求項２】
前記装置本体には、前記ラックベルトを前記挿通路に挿通した状態では前記取付部材の回転を許容し、上記ラックベルトが挿通されていない状態では上記取付部材の回転を停止させるブレーキ機構が設けられている、請求項１記載のコマ玩具発射装置。
【請求項３】
前記ブレーキ機構は、前記回転体が軸方向に移動可能に設けられ、前記挿通路にラックベルトが挿入されていないときは、上記回転体と玩具本体とが係合し、上記挿通路に挿入されたラックベルトによって回転体が軸方向に移動したときには上記回転体と玩具本体との係合が外れるように形成されている、請求項１または２に記載のコマ玩具発射装置。
【請求項４】
前記取付部材に着脱されるコマ玩具が、重錘部材を含む複数の部材を層状に組み付けて構成されるものである、請求項１、２または３に記載のコマ玩具発射装置。
【請求項５】
前記コマ玩具取付部材には、コマ玩具を保持する保持突片と、コマ玩具の上面の係合溝に係合する係合突片とが形成され、該係合突片は下方に向けて幅狭となる台形形状に形成されたものである、請求項１、２、３又は４に記載のコマ玩具発射装置。
【考案の詳細な説明】
【０００１】
【考案の属する技術分野】
本考案はコマ玩具を回転させて発射するコマ玩具発射装置に関する。
【０００２】
【従来技術とその問題点】
従来よりコマ玩具は子供の遊びにおいて非常にポピュラーであり、友達どうしでおたがいのコマ玩具をぶつけあって、相手のコマ玩具を倒したり、決められたゲームスペース（ゲーム盤）から弾き出したりして勝負を争う遊びがよく行なわれている。
【０００３】
現在では、このようなコマ玩具は、発射装置によって回転駆動されている（例えば、特許文献１参照）。
【０００４】
【特許文献１】
実用新案登録第３０７１８１２号公報
【０００５】
【考案が解決しようとする課題】
これらのコマ玩具発射装置は、右回転用と左回転用の専用の発射装置しかなかった。その理由は、発射装置にはコマ玩具を回転させるための部材とこの部材を停止させる機構とが必要であり、左右回転ができるものにしようとすると、内部構造が複雑になってしまうからである。
【０００６】
しかしながら、コマ遊び自体が多様化してくると、左右両方に自由に選択して回転することが必要となる場面が多くなり、このため自由に回転を選択できるようなコマ玩具発射装置が望まれている。
【０００７】
本考案は上記問題点を解消し、左右の回転を任意に選択することができるコマ玩具発射装置を提供することをその課題とする。
【０００８】
【課題を解決するための手段】
前記課題を解決するため、本考案に係るコマ玩具発射装置は、以下の要件を備えたことを特徴とする。
（イ）装置本体の内部には回転体と回転体に作動連結するピニオンギアとを設け、回転体の下部には装置本体の下方に突出するコマ玩具用取付部材を形成したこと
（ロ）上記装置本体には、ラックベルトを挿脱する２つの挿通路が上記ピニオンギアを挟んでその両側に平行に形成されていること
（ハ）上記ラックベルトは上記挿通路に挿入したときに上記ピニオンギアに噛合するように形成されていること
（ニ）コマ玩具は上記回転体の回転が停止したときに上記取付部材から離脱するように構成されていること
【０００９】
なお、前記装置本体には、前記ラックベルトを前記挿通路に挿通した状態では前記取付部材の回転を許容し、上記ラックベルトが挿通されていない状態では上記取付部材の回転を停止させるブレーキ機構を設けるのが好ましい。
【００１０】
また、前記ブレーキ機構は、前記ブレーキ機構は、前記回転体が軸方向に移動可能に設けられ、前記挿通路にラックベルトが挿入されていないときは、上記回転体と玩具本体とが係合し、上記挿通路に挿入されたラックベルトによって回転体が軸方向に移動したときには上記回転体と玩具本体との係合が外れるように形成されるように形成するのが好ましい。
【００１１】
さらに、前記取付部材に着脱されるコマ玩具が、重錘部材を含む複数の部材を層状に組み付けて構成されるものであるのが望ましい。
【００１２】
また、前記コマ玩具取付部材には、コマ玩具を保持する保持突片と、コマ玩具の上面の係合溝に係合する係合突片とが形成され、該係合突片は下方に向けて幅狭となる台形形状に形成するのがよい。
【００１３】
【考案の実施の形態】
図１および図２において符号１はコマ玩具発射装置、２はコマ玩具を示す。
【００１４】
コマ玩具発射装置１は、装置本体１ａの内部に後述の回転体３を設け、回転体３の下部には装置本体１ａの下方に突出する取付部材５を形成し、取付部材５にコマ玩具２を装着した後、ラックベルト６で回転体３を回転させてコマ玩具２を放出するようにしたものである。
【００１５】
図３に示されるように、装置本体１ａは箱状に形成され、中間底壁によって上室７と下室８とに画成されている。下室８は開放されている。上室７の相対する側壁には、左右にそれぞれラックベルト６を挿脱するための挿通路９が形成されている。
【００１６】
回転体３は、装置本体１ａの中間底壁を貫通した回転軸１０を中心に回転自在に取り付けられているとともに、装置本体１ａに軸方向に移動可能に設けられ、バネ２４により常時下方に付勢されている。回転軸１０の上室７に対応する部分には、下面が円錐状に形成された短円柱状の駒１１が固定されている。この駒１１の下面は円錐状の傾斜面１２として形成されている。駒１１の下部にはピニオンギア４が固定されている。上記２つの挿通路９は上記ピニオンギア４を挟んでその両側に平行に形成されている。そして、上記駒１１の傾斜下面１２は挿通路９の一部を塞ぐように配置されている。
【００１７】
上記構成により、ラックベルト６を上記挿通路９に挿入すると、図４に示されるように、ラックベルト６の歯は回転体３の駒１１の傾斜下面１２に当たるので、さらにラックベルト６を押し込むと、傾斜面１２によって回転体３は上方に持ち上げられ、その後ピニオンギア４に噛合するようになっている。
【００１８】
次に、図５に示されるように、回転軸１０の下室８には回転体３の回転を停止させるブレーキ機構が設けられている。すなわち、駒１１の頭部は円形ではなく、互いに反対側には少し外方に張出す張出し部１４が形成されている。そして、装置本体１ａの上室には、上記張出し部１４に対向するように凸部１５が形成されている。この凸部１５は、回転体３が下方位置にあるとき（図３の状態）には点線で示すように張出し部１４に係合し、回転体３が上方位置にあるとき（図４の状態）は係合しない高さに形成されている。これにより、回転体３が上方に移動しているときは、駒１１は自由に回転できるから、回転体３も自由に回転することができる。これに対し、回転体３が下方に移動するときは、駒１１の張出し部１４は凸部１５に係合するので、回転は阻止されるから、回転体３も回転することができない。
【００１９】
さらに、図３に示されるように、回転体３の回転軸１０の下室８には取付部材５が形成されている。この取付部材５の下方には、２個の保持突片１６と係合突片１７とが９０度の間隔で同心円の相対する位置に形成されている。保持突片１６はコマ玩具２を保持するためのもので、弾性が効くようにやや長めに形成されている。保持突片１６の先端内側には突部１８が形成されている。係合突片１７はコマ玩具２を回転させるためのもので、下方に向けて幅狭となる台形形状に形成されている。
【００２０】
なお、上記下室８の内部において、回転体３の回転軸１０には、合成樹脂によって形成された２つの弾性ループ２２が固定されている。弾性ループ２２の外側中央部には突部２３が突出形成されている。これに対し、下室８に設けられた上記取付部材５の環状側壁の内面には波形の受け面１５が形成されている。この波形受け面１５は弾性ループ２２の突部２３に係止している。このため、取付部材５が回転しているのに、回転軸１０が強制的に停止させられたときにも、弾性ループ２２と波形受け面１５とがクリックして一定の抵抗で相対的に回転することができるから、回転体３が破損することが防止される。
【００２１】
コマ玩具２は、最上層の上層部材２ａと、上層部材２ａの下部に配置された中層部材２ｂとを層状に取り付けて成るものである。中層部材２ｂは金属製の重錘部材である。これにより、部材を交換して回転特性を変えることができる。
【００２２】
コマ玩具２の上部には、図２および図３に示されるように、上記発射装置の回転体３の下方に突出する２個の保持突片１６に係合可能な保持溝１９とともに、２個の係合突片１７に係合可能な凹溝状の係合溝２０が形成されている。上記保持溝１９の内側溝壁の上端２４はやや溝側に突出している。また、上記係合溝２０の長さは、上記係合突片１７よりもやや大きく形成されている。
【００２３】
次に、上記構成のコマ玩具発射装置１の使用態様について説明すると、上記回転体３の保持突片１６をコマ玩具２の保持溝１９に差し込むと、保持突片１６の先端が保持溝１９の内側溝壁を抱え込むようにするので、コマ玩具２は脱落することなく保持されている。同時に、回転体３の係合突片１７がコマ玩具２の係合溝２０に差し込まれる。この状態で、玩具本体１ａの右または左の挿通路９からラックベルト６を挿通すると、回転体３は図４のように上方に持ち上げられ、回転体３の張出し部１４と玩具本体１ａの凸部１５とは互いに係合しないので、回転体３は自由に回転することができる。その後ラックベルト６の突部２３はピニオンギア４に噛合するので、回転体３が回転し、同時にコマ玩具２も回転する。ラックベルト６を十分に挿通路９内に押し込んだ後、ラックベルト６を強く引くと、回転体３とともにコマ玩具２は逆方向に急回転する。そして、ラックベルト６が挿通路９から抜けると、回転体３は下降するので、回転体３の張出し部１４と玩具本体１ａの凸部１５とは互いに係合し、回転体３の回転は停止する。これに対し、コマ玩具２は慣性によって回転し続けるから、図３のように、係合溝２０の端部の壁に回転体３の台形状係合突片１７の端面が当たり、コマ玩具２は下方に移動するように力を受けるから、この力が保持突片１６による保持力を上回り、コマ玩具２は回転したまま回転体３から離脱発射させて床面等に落下し、そのまま回転を継続する。
【００２４】
同様にして、玩具本体の逆の挿通路９からラックベルト６を挿通すると、回転体３は上述とは逆方向に回転するので、コマ玩具２も逆方向に回転させることができる。
【００２５】
【考案の効果】
請求項１に係る考案によれば、一方の挿通路にラックベルトを挿通すると、ピニオンギアが一方向に回転し、回転体とコマ玩具も同方向に回転する。これに対し、他方の挿通路にラックベルトを挿通すると、ピニオンギアが逆方向に回転するので、回転体とコマ玩具も逆方向に回転する。したがって、どちらかの挿通路にラックベルトを挿通するかによってコマ玩具２を右回転又は左回転させることができる。
【００２６】
請求項２に係る考案によれば、ラックベルトを挿入した状態では前記取付部材の回転を許容し、上記ラックベルトが挿入されていない状態では上記取付部材の回転を停止させるブレーキ機構が設けられているので、効率的に回転体からコマ玩具を離脱して発射させることができる。
【００２７】
請求項３に係る考案によれば、前記ブレーキ機構は、前記回転体が軸方向に移動可能に設けられ、前記挿通路にラックベルトが挿入されていないときは、上記回転体と玩具本体とが係止し、上記挿通路に挿入されたラックベルトによって回転体が軸方向に移動したときには上記回転体と玩具本体との係止が外れるように形成されているから、ラックベルトを挿通路に挿通した後に強く引っ張ってコマ玩具を勢いよく回転させ、ラックベルトを挿通路から引き抜くと、玩具本体に回転体が係合するため、回転体は停止するから、コマ玩具を自動的に回転体から離脱させることができる。
【００２８】
請求項４に係る考案によれば、コマ玩具は、重錘部材を含む複数の部材を層状に組み付けて構成されるものであるから、部材を交換して回転特性を変えることができる。
【００２９】
請求項５に係る考案によれば、コマ玩具取付部材にはコマ玩具の上面の係合溝に係合する係合突片が形成され、該係合突片は下方に向けて幅狭となる台形形状に形成されているので、回転体の回転が停止したときに係合突片が係合溝から抜けやすいので、コマ玩具が簡単に離脱しやすくなる。
【図面の簡単な説明】
【図１】本考案に係るコマ玩具発射装置にコマ玩具を取り付けた状態の斜視図
【図２】上記コマ玩具発射装置とラックベルトとコマ玩具とを示す斜視図
【図３】コマ玩具発射装置の要部の縦断面図
【図４】上記コマ玩具発射装置によるコマ玩具の発射状態を示す断面図
【図５】ブレーキ機構を示す横断面図
【図６】クリック機構を示す平面図
【符号の説明】
３　回転体
５　取付部材
９　挿通路
【図１】
0003098449.tif 000003
【図２】
0003098449.tif 000004
【図３】
0003098449.tif 000005
【図４】
0003098449.tif 000006
【図５】
0003098449.tif 000007
【図６】
0003098449.tif 000008